(57)【要約】【課題】低コスト化を図ることができるホースリールを提供する。【解決手段】ホースリール１のフレームを本体ケース１１で構成し、本体ケース１１の内部空間に、ホースを巻き取るドラムを回動自在に支持する。本体ケース１１を下部及び上部容器１２，１３で構成し、上部容器１３の前面３１にドラムに巻き取られるホースの出入口３３を設ける。【選択図】図１
2006312557.tif 000002
【特許請求の範囲】
【請求項１】
ドラムを回動自在に支持するフレームが、互いに連結される下部構成部材及び上部構成部材で形成されたホースリールにおいて、
前記下部構成部材を上方に開口した容器状に形成するとともに、前記上部構成部材を下方に開口した容器状に形成し、両構成部材により形成される内部空間に前記ドラムを収容する一方、前記両構成部材からなる前記フレームにホースの出入口を設けたことを特徴とするホースリール。
【発明の詳細な説明】
【技術分野】
【０００１】
本発明は、ホースを巻き取るホースリールに関する。
【背景技術】
【０００２】
従来、散水用のホースを巻き取る際には、ホースリールが用いられていた（例えば、特許文献１参照。）。
【０００３】
このホースリールは、フレームと、該フレームに回動自在に支持されたドラムからなり、前記フレームは、上下に分割された上フレームと下フレームとによって構成されている。
【０００４】
前記上フレームは、パイプ材をコ字状に屈曲した形状を成し、中空状に形成されている。また、前記下フレームは、円形の底板に一対の起立部が立設された形状を成し、各起立部は中空状に形成されている。各起立部には、前記上フレームが連結されており、この連結部分で前記ドラムを軸支するように構成されている。
【特許文献１】特開平１０−２５０６４０号公報
【発明の開示】
【発明が解決しようとする課題】
【０００５】
しかしながら、このようなホースリールにあっては、上下フレームにより構成される柱部でドラムを支持する構造上、柱部の剛性を確保する為に柱部を閉断面形状に形成しなければならなかった。
【０００６】
これにより、低コスト化の阻害要因となっていた。
【０００７】
本発明は、このような従来の課題に鑑みてなされたものであり、低コスト化を図ることができるホースリールを提供することを目的とするものである。
【課題を解決するための手段】
【０００８】
前記課題を解決するために本発明の請求項１のホースリールにあっては、ドラムを回動自在に支持するフレームが、互いに連結される下部構成部材及び上部構成部材で形成されたホースリールにおいて、前記下部構成部材を上方に開口した容器状に形成するとともに、前記上部構成部材を下方に開口した容器状に形成し、両構成部材により形成される内部空間に前記ドラムを収容する一方、前記両構成部材からなる前記フレームにホースの出入口を設けた。
【０００９】
すなわち、フレームを構成する下部構成部材及び上部構成部材は、容器状に形成されており、両構成部材が連結されてなるフレーム自体が閉断面形状となる。これにより、ドラムの荷重はフレーム全体に分散され、柱等を設けること無く、剛性が高められる。
【００１０】
そして、このフレームに支持されるドラムは、前記両構成部材により形成された内部空間に収容される。このため、ドラムに巻かれたホースへの紫外線の照射が防止される。
【００１１】
また、他の例としてのホースリールにおいては、前記両構成部材を矩形容器状に形成し、両構成部材で形成された前記フレームの対向する側面間に前記ドラムを支持した。
【００１２】
これにより、両構成部材からなるフレームは、矩形状の閉断面構造となる。また、各壁面は平板状に形成される。そして、ドラムは、この平板状の側面間に回動自在に支持される。
【００１３】
さらに、他の例としてのホースリールでは、前記両構成部材を矩形容器状に形成し、両構成部材で形成された前記フレームの前面に前記出入口を設けた。
【００１４】
これにより、ドラムに巻かれたホースは、フレームの前面に設けられた出入口から出し入れされる。
【００１５】
加えて、他の例としてのホースリールにあっては、前記両構成部材を矩形容器状に形成し、両構成部材で形成された前記フレームの対向する側面間に前記ドラムを支持するとともに、前記両側面を連設する前面に前記出入口を設けた。
【００１６】
これにより、両構成部材からなるフレームは、矩形状の閉断面構造となる。また、各壁面は平板状に形成される。さらに、ドラムは、この平板状の側面間に回動自在に支持される。そして、このドラムに巻かれたホースは、フレームの前面に設けられた出入口から出し入れされる。
【００１７】
また、他の例としてのホースリールにおいては、前記ドラムの支持位置の上部又は下部の少なくとも一方に、上下に延在する突条を設けた。
【００１８】
これにより、板状の壁面は、前記ドラムの支持位置の上部又は下部の少なくともいずれか一方が、上下に延在する突条によって補強される。
【００１９】
さらに、他の例としてのホースリールでは、前記下部構成部材の底面に開口部を設けた。
【００２０】
これにより、ホース付着した水滴や泥などの汚れが開口部よりフレーム外へ排出される。
【発明の効果】
【００２１】
以上説明したように、本発明の請求項１のホースリールにあっては、フレームを構成する下部構成部材及び上部構成部材を容器状に形成することで、両構成部材が連結されてなるフレーム自体を閉断面形状とすることができる。これにより、柱等を設けること無く、剛性を高めることができる。
【００２２】
このため、各構成部材の各部を板状に形成することができるので、中子を用いた金型成形やインジェクション成形などによって中空状の柱部を形成しなければならなかった従来と比較して、成形コストを抑えることができる。また、各部位での肉厚管理も容易となるため、設計段階での強度設定が可能となる。
【００２３】
そして、このフレームに支持されるドラムは、前記両構成部材により形成された内部空間に収容されるため、ドラムに巻かれたホースへの紫外線の照射を防止することができる。これにより、ホースの劣化を抑制し、長寿命化を図ることができる。
【００２４】
また、他の例としてのホースリールにおいては、両構成部材からなるフレームを、矩形状の閉断面構造とすることができる。これにより、各構成部材の各面を平板状とすることができる。そして、ドラムを、この平板状の側面間に回動自在に支持することができる。
【００２５】
さらに、他の例としてのホースリールでは、両構成部材を矩形容器状に形成し、両構成部材で形成されたフレームの前面に出入口を設けることによって、ドラムに巻かれたホースを、フレーム前面の出入口から出し入れすることができる。
【００２６】
加えて、他の例としてのホースリールにあっては、両構成部材からなるフレームを、矩形状の閉断面構造とすることができる。これにより、各構成部材の各面を平板状とすることができる。また、ドラムを、この平板状の側面間に回動自在に支持することができる。
【００２７】
そして、このドラムに巻かれたホースを、前記フレームの前面に設けられた出入口から出し入れすることができる。これにより、ホースの出し入れを容易とすることができる。
【００２８】
また、他の例としてのホースリールにおいては、前記ドラムの支持位置の上部又は下部の少なくとも一方に上下に延在する突条を設けたので、板状に形成された壁面を、前記ドラムの支持位置の上部又は下部の少なくともいずれか一方で補強することができる。
【００２９】
これにより、前記ドラムの支持強度を高めることができる。
【００３０】
さらに、他の例としてのホースリールでは、下部構成部材の底面に開口部を設けることによって、ホースに付着した水滴や泥などの汚れを、この開口部からフレーム外へ排出することができる。
【００３１】
よって、下部構成部材内に泥などが堆積したり、水が溜まることによって生じ得る不具合を未然に防止することができる。
【発明を実施するための最良の形態】
【００３２】
以下、本発明の一実施の形態を図に従って説明する。図１は、本実施の形態にかかるホースリール１を示す図であり、該ホースリール１は、散水用のホースを巻き取る際に使用されるものである。
【００３３】
このホースリール１は、フレームを構成する矩形状の本体ケース１１を備えてなり、該本体ケース１１は、図２にも示すように、上方に開口した矩形容器状の下部構成部材としての下部容器１２と、下方に開口した矩形容器状の上部構成部材である上部容器１３とが端縁にて図外のタッピンネジで結合されて形成されている。この本体ケース１１の内部空間Ｋには、図３に示すように、ホース１４を巻き取る為のドラム１５が収容されており、該ドラム１５は、ホース挿通穴１６を貫通したホース１４が巻かれる円筒状の胴部１７と、該胴部１７の両端部に設けられた鍔部１８，１８とによって構成されている。
【００３４】
前記上部容器１３の天面２１は、図１及び図４に示すように、矩形状に形成されており、平坦に形成されている。また、当該天面２１は、他のホースリールの本体ケース１１を積載できる広さに設定されており、積載部を構成している。
【００３５】
この天面２１には、コ字状に没入した凹部２２が形成されており、該凹部２２内には、コ字状の取っ手２３が配設されている。該取っ手２３は、自由端部を構成する握持部２４と、該握持部２４の両端から延出した延出部２５，２５とによってコ字状に形成されており、図５に示すように、両延出部２５，２５の先端に設けられた回動軸２６，２６を介して、前記上部容器１３に回動自在に支持されている。これにより、前記取っ手２３を、前記凹部２２内に収容した傾倒状態２７と起立した起立状態２８との間で回動できるように構成されている。
【００３６】
この取っ手２３の前記延出部２５，２５は、前記起立状態２８において、前記凹部２２の上縁部が構成する当接部２９に当接して回動が規制されるように構成されており、該当接部２９は、前方側に傾斜した傾斜面によって構成されている。この起立状態２８において、前記取っ手２３が前記傾倒状態２７から９０度を超えた所定角α、具体的には１０９度傾斜した状態で回動規制されるように構成されている。これにより、傾倒状態２７の取っ手２３を起立状態２８へ移行する際には、前記取っ手２３の自由端部を構成する前記握持部２４が前記回動軸２６が構成する回動中心上部を通過した後、前記延出部２５，２５が前記当接部２９に当接した状態で前方側に傾斜して停止するように構成されている。
【００３７】
前記上部容器１３の前面３１であって、前記ドラム１５に巻き取られるホース１４の移動経路上には、図６にも示すように、該ホース１４を案内するガイド部３２が設けられている。該ガイド部３２は、前記ホース１４が挿通する出入口３３を備えてなり、該出入口３３の上部開口縁は、前記ホース１４の上方への逃げを阻止する上方規制部３４を構成している。該上方規制部３４は、巻き取られる前記ホース１４の移動方向Ｉと交差する方向に延在しており（図１参照）、当該上方規制部３４は、中央部が上方へ向けて突出したアーチ状に形成されている。
【００３８】
なお、前記上方規制部３４が出入口３３の上部開口縁によって形成された場合を例に挙げて説明したが、これに限定されるものでは無く、例えば長尺状の部材をアーチ状に湾曲したもので構成しても良い。
【００３９】
また、前記出入口３３の下部開口縁が開放されたものであっても良い。
【００４０】
この上方規制部３４には、図５に示したように、その全域に渡って庇部３５が形成されており、該庇部３５は、本体ケース１１の外側へ向けて突出している。当該上方規制部３４において、最も高い部位での高さ位置は、前記本体ケース１１に支持された前記ドラム１５の鍔部１８で最も高い部位より低くなるように設定されており、前記上方規制部３４で最も高い部位と前記鍔部１８で最も高い部位との間には、ホース巻取り時の余裕代Ｙが設定されている。
【００４１】
前記出入口３３の下部開口縁は、図６に示したように、直線状に形成されており、前記ホース１４の横方向への移動を自在とする下方規制部３６を構成している。これにより、前記出入口３３は、円弧部分が上方に位置した半円形状に形成されている。
【００４２】
前記出入口３３の開口縁部を構成する前記下方規制部３６は、図５に示したように、一般部３７より厚肉に形成されており、厚肉部３８を構成している。この厚肉部３８での断面形状は、前記出入口３３の中心へ向けて突出する円弧状に形成されており、当該出入口３３を移動するホース１４が線接触するように構成されている。
【００４３】
この上部容器１３の左右側面４１，４２の下端と前記下部容器１２の左右側面４３，４４の上端との接合部分には、図１及び図６に示したように、両者を接合した状態で円形を成す側方に膨出した膨出部４５，４５が形成されており、両膨出部４５，４５間には、図３に示したように、前記ドラム１５の鍔部１８，１８から突出した胴部１７の端部が回動自在に支持されている。これら膨出部４５，４５の中央には、円形穴４６，４６が設けられており、左方に設けられた前記膨出部４５の円形穴４６には、前記ドラム１５を回動する為のクランク状のハンドル４７の軸４８が挿通している。
【００４４】
また、右方に設けられた前記膨出部４５の円形穴４６には、蛇口側のホースが接続される接続プラグ５１が挿通されており、該接続プラグ５１には、ドラム１５に巻かれたホース１４が接続されるパイプ部材５２の一端が接続されている。これにより、蛇口からの水道水を、前記接続プラグ５１を介して前記パイプ部材５２へ供給するとともに、該パイプ部材５２を介してドラム１５に巻かれた散水側のホース１４に供給できるように構成されている。
【００４５】
前記膨出部４５，４５が形成された前記上部及び下部容器１２，１３の左右側面４１，４２，４３，４４には、図１に示したように、上下に延在する帯状部５５，５５が前記ドラム１５の支持位置である前記膨出部４５，４５の上部及び下部に設けられている。この帯状部５５，５５は、上下に延在する複数の突条５６，・・・と凹溝５７，・・・とが交互に形成されてなり、波形に形成されている。これにより、この帯状部５５，５５は、平板状の左右側面４１，４２，４３，４４を補強するとともに、前記ドラム１５を支持する支柱として機能するように構成されている。
【００４６】
前記下部容器１２の底面６１には、図７にも示すように、矩形状の底面開口部６２が開設されており、本体ケース１１は、この底面開口部６２を介して外部に連通している。
【００４７】
また、前記底面６１には、横長の脚固定部材６５，６５が前面３１側及び後面６８側の各縁部に沿ってネジ止めされている。両脚固定部材６５，６５の両端部には、図８にも示すように、十字状の軸部６６，６６が互いに対向する方向へ突設されており、対向した軸部６６，６６には、同形状に形成された脚部６７，６７が回動自在に支持されている。
【００４８】
この脚部６７の両端部には、前記軸部６６，６６に外嵌する円筒部７１，７１が基端部７２に形成されており、この円筒部７１には、先端へ向けて延出する上面部７３が一体形成されている。前記両脚部６７，６７は、前記円筒部７１，７１を中心に回動することによって、図９に示すように、両脚部６７，６７の先端が前記本体ケース１１の下部に配置され両脚部６７，６７が前記底面開口部６２の下部に配置された折り畳み状態７４と、図１に示したように、両脚部６７，６７の先端が本体ケース１１より側方へ延出し、かつ前記本体ケース１１の底面６１に当接して（図８参照）回動が規制された展開状態７５とを任意に形成できるように構成されている。
【００４９】
これにより、展開状態７５において、本体ケース１１の起立状態の安定化を図れるように構成されており、前記折り畳み状態７４にあっては、底面６１に開設された前記底面開口部６２を前記脚部６７，６７によって閉鎖できるように構成されている。
【００５０】
前記上面部７３は、一方の脚部６７を他方の脚部６７に先行して折り畳んで図９に示した折り畳み状態７４を形成した際に、両脚部６７，６７の基端部７２，７２より先端側が重なる長さに形成されており、その裏面には、複数のリブ８１，・・・と、その両側縁から延出したフランジ８２，８２とが一体形成されている。このフランジ８２，８２及び前記リブ８１，・・・の高さ寸法は、図８にも示したように、基端部７２から先端へ向かうに従って低くなるように設定されており、各脚部６７の厚み寸法は、前記本体ケース１１に軸支された基端部７２から先端へ向かうに従って薄肉になるように設定されている。
【００５１】
さらに、両脚部６７，６７は、図９に示したように、前記折り畳み状態７４にて重なり合う全域での厚み寸法の和が、両脚部６７，６７で最も厚い基端部７２での厚み寸法以下となるように、前記重合部８３での厚み寸法が設定されており、前記折り畳み状態７４において、両脚部６７，６７が、前記脚部固定部材６５の下面より上方に位置するように構成されている。
【００５２】
そして、図５に示したように、前記本体ケース１１の下部容器１２の内側面９１には、二本のリブ９２，９２が底面６１から上部開口部へ向けて延設されており、前記本体ケース１１の上部容器１３の内側面９３にも、二本のリブ９４，９４が天面２１から下部開口部へ向けて延設されている。つまり、これらのリブ９２，９２，９４，９４は、前記各容器１２，１３を樹脂成形する際の型抜き方向に延設されている。
【００５３】
各リブ９２，９２，９４，９４の高さ寸法Ｈは、図３に示したように、各内側面９１，９３から前記ドラム１５の鍔部１８までの離間距離Ｒ以上に設定されており、図５に示したように、各リブ９２，９２，９４，９４の長さ寸法は、その先端が前記鍔部１８に近接する長さに設定されている。
【００５４】
以上の構成にかかる本実施の形態において、フレームである本体ケース１１を構成する下部容器１２及び上部容器１３は、矩形容器状に形成されており、両容器１２，１３が連結されてなる本体ケース１１自体を閉断面形状とすることができる。これにより、ドラム１５の荷重を本体ケース１１の周面全体で受けることができ、柱等を設けること無く、剛性を高めることができる。
【００５５】
このため、矩形状の下部及び上部容器１２，１３の各面を板状とすることができるので、中子を用いた金型成形やインジェクション成形などによって中空状の柱部を形成しなければならなかった従来と比較して、成形コストを抑えることができる。また、各面での肉厚管理も容易となるため、設計段階での強度設定が可能となる。
【００５６】
そして、この本体ケース１１に支持されるドラム１５は、前記両容器１２，１３により形成された内部空間Ｋに収容される。このため、ドラム１５に巻かれたホース１４への紫外線の照射を防止することができる。これにより、ホース１４の劣化を抑制し、長寿命化を図ることができる。
【００５７】
また、前記両容器１２，１３は矩形容器状のため、各容器１２，１３の各面を平板状とすることができる。そして、両容器１２，１３からなる本体ケース１１を、矩形状の閉断面構造とすることができる。
【００５８】
そして、前記ドラム１５を、この平板状の左右側面４１，４２，４３，４４間に回動自在に支持することができる。また、このドラム１５に巻かれたホース１４を、前記本体ケース１１の前面３１に設けられた出入口３３から出し入れすることができる。これにより、ドラム１５に巻かれたホース１４の出し入れを容易とすることができる。
【００５９】
さらに、前記本体ケース１１の左右側面４１，４２，４３，４４には、前記ドラム１５の支持位置である膨出部４５，４５の上部及び下部に、帯状部５５，５５が形成されており、該帯状部５５，５５は、上下に延在する複数の突条５６，・・・と凹溝５７，・・・とによって形成されている。
【００６０】
これにより、平板状の左右側面４１，４２，４３，４４における前記ドラム１５の支持位置の上部及び下部を、前記帯状部５５，５５によって補強することができる。
【００６１】
よって、前記ドラム１５の支持強度を高めることができる。
【００６２】
加えて、前記下部容器１２の底面６１には、矩形状の底面開口部６２が開設されており、本体ケース１１は、この底面開口部６２を介して外部に連通している。
【００６３】
このため、ホース１４に付着した水滴や泥などの汚れを、この底部開口部６２から本体ケース１１外へ排出することができる。
【００６４】
よって、下部容器１２内に泥などが堆積したり、水が溜まることによって生じ得る不具合を未然に防止することができる。
【図面の簡単な説明】
【００６５】
【図１】本発明の一実施の形態を示す斜視図である。
【図２】同実施の形態の側面図である。
【図３】図２のＡ−Ａ線に沿った断面図である。
【図４】同実施の形態の平面図である。
【図５】図４のＢ−Ｂ線に沿った断面図である。
【図６】同実施の形態の正面図である。
【図７】同実施の形態の底面図である。
【図８】図４のＣ−Ｃ断面に相当する図である。
【図９】同実施の形態の折り畳み状態を示す要部の断面図である。
【符号の説明】
【００６６】
１    ホースリール
１１    本体ケース
１２    下部容器
１３    上部容器
１４    ホース
１５    ドラム
１７    胴部
１８    鍔部
２１    天面
３１    前面
３３    出入口
４１    左側面
４２    右側面
４５    膨出部
５６    突条
６１    底面
６２    底面開口部
Ｋ    内部空間
【図１】
2006312557.tif 000003
【図２】
2006312557.tif 000004
【図３】
2006312557.tif 000005
【図４】
2006312557.tif 000006
【図５】
2006312557.tif 000007
【図６】
2006312557.tif 000008
【図７】
2006312557.tif 000009
【図８】
2006312557.tif 000010
【図９】
2006312557.tif 000011